(57)【要約】【課題】痛みを伴うことなく、安価且つ容易に実施でき、しかも均一かつ精密に皮膚表面バリアをピーリングできる技術を提供する。【解決手段】平均粒径が１０００ｎｍ未満の研磨粒子を用いて皮膚表面をピーリングする一方、皮膚表面にデリバリ物質を付与し、このデリバリ物質を、前記ピーリングした皮膚表面から皮膚吸収により皮膚内にデリバリする。【選択図】図１
2004277325.tif 000002
【特許請求の範囲】
【請求項１】
平均粒径が１０００ｎｍ未満の研磨粒子を用いて皮膚表面をピーリングする一方、皮膚表面にデリバリ物質を付与し、このデリバリ物質を、前記ピーリングした皮膚表面から皮膚吸収により皮膚内にデリバリすることを特徴とする皮膚吸収による物質のデリバリ方法。
【請求項２】
前記研磨粒子およびデリバリ物質を皮膚表面に付与した状態で、振幅１００μｍ〜１０００μｍ且つ振動数１ｋＨｚ〜１０ＭＨｚの振動を前記研磨粒子、デリバリ物質および皮膚表面に与えることにより前記ピーリングを行い、前記ピーリングと同時に前記デリバリを行うようにする、請求項１記載の皮膚吸収による物質のデリバリ方法。
【請求項３】
前記研磨粒子として球状シリカ粒子を用いる、請求項１または２記載の皮膚吸収による物質デリバリ方法。
【請求項４】
前記研磨粒子として抗菌性を有するものを用いる、請求項１〜３のいずれか１項に記載の皮膚吸収による物質デリバリ方法。
【請求項５】
前記研磨粒子として、平均粒径が１００ｎｍ未満のものを用いる請求項１〜４のいずれか１項に記載の皮膚吸収による物質デリバリ方法。
【請求項６】
前記デリバリ物質として、医療用物質および／または化粧用物質を用いる、請求項１〜５のいずれか１項に記載の皮膚吸収による物質デリバリ方法。
【請求項７】
前記研磨粒子およびデリバリ物質とは別に、抗菌剤、除菌剤および／または殺菌剤を皮膚表面に付与する、請求項１〜６のいずれか１項に記載の皮膚吸収による物質デリバリ方法。
【請求項８】
平均粒径が１０００ｎｍ未満の研磨粒子と、皮膚吸収により皮膚内にデリバリされるデリバリ物質とを、分散媒体中に含有させてなることを特徴とする、皮膚吸収による物質のデリバリに用いるピーリング剤。
【請求項９】
前記研磨粒子は球状シリカ粒子である、請求項８記載の皮膚吸収による物質のデリバリに用いるピーリング剤。
【請求項１０】
前記研磨粒子は抗菌性を有するものである、請求項８または９記載の皮膚吸収による物質のデリバリに用いるピーリング剤。
【請求項１１】
前記研磨粒子は平均粒径が１００ｎｍ未満のものである、請求項８〜１０のいずれか１項に記載の皮膚吸収による物質のデリバリに用いるピーリング剤。
【請求項１２】
前記デリバリ物質は医療用物質および／または化粧用物質を含むものである、請求項８〜１１のいずれか１項に記載の皮膚吸収による物質のデリバリに用いるピーリング剤。
【請求項１３】
前記研磨粒子およびデリバリ物質とは別に、抗菌剤、除菌剤および／または殺菌剤を含む、請求項８〜１２のいずれか１項に記載の皮膚吸収による物質のデリバリに用いるピーリング剤。
【請求項１４】
グリップ部と、これに取り付けられたパッド部とからなり、前記パッド部は、研磨パッドと、少なくとも研磨粒子を含むピーリング剤が貯蔵される貯蔵室と、前記貯蔵室に貯蔵されたピーリング剤を前記研磨パッドに供給するための供給路とを有する、ことを特徴とするピーリング装置。
【請求項１５】
前記グリップ部は、弾性連結部材を介して連結されたパッド取付部を有し、このパッド取付部は振動発生手段を有し、このパッド取付部に前記パッド部を取り付けるように構成した、請求項１４または１５記載のピーリング装置。
【請求項１６】
前記研磨パッドは平坦な先端面を有し、前記振動発生手段は前記研磨パッドの先端面に対して実質的に平行な方向の振動を発生するものである、請求項１５記載のピーリング装置。
【請求項１７】
前記振動が回転振動である、請求項１６記載のピーリング装置。
【請求項１８】
前記振動発生手段として超音波振動子を設け、この超音波振動子で発生した振動を前記研磨パッドに伝達するように構成するとともに、この振動の伝達の過程で振動を増幅する増幅手段を設けた、請求項１５〜１７記載のピーリング装置。
【請求項１９】
前記ピーリング剤は平均粒径１０００ｎｍ未満の研磨粒子を含むものであり、前記研磨パッドが振幅１００μｍ〜１０００μｍ、振動数１ｋＨｚ〜１０ＭＨｚで振動されるように構成されている、請求項１５〜１８のいずれか１項に記載のピーリング装置。
【請求項２０】
前記パッド部は、先端および基端を有し且つ長手方向中間に隔壁が設けられた筒状部材と、筒状部材内の隔壁の基端側に配置されたピストンとを有し、
前記研磨パッドは先端部と基端部とを有し、基端部が筒状部材内の隔壁の先端側に保持され且つ先端部が筒状部材の先端から張り出されており、
前記隔壁とピストンとの間の部分が前記貯蔵室とされており、
前記供給路は前記隔壁および研磨パッドを貫通して研磨パッドの先端部の外面に開口されており、
前記グリップ部は先端部と基端部とを有し、このグリップ部の先端部は前記筒状部材内の隔壁の基端側に挿入されており、このグリップ部の先端部により前記ピストンを押し込むことで前記貯蔵室内のピーリング剤が前記供給路を介して前記研磨パッドの先端部の外面に供給されるように構成されている、
請求項１４〜１９のいずれか１項に記載のピーリング装置。
【請求項２１】
前記パッド部は、使い捨て可能なように、前記グリップ部に対して着脱可能なように取り付けられている、１４〜１９のいずれか１項に記載のピーリング装置。
【請求項２２】
先端および基端を有し且つ長手方向中間に隔壁が設けられた筒状部材と、
筒状部材内の隔壁の基端側に配置されたピストンと、
先端部と基端部とを有し、基端部が筒状部材内の隔壁の先端側に保持され且つ先端部が筒状部材の先端から張り出す研磨パッドと、
前記隔壁とピストンとの間のスペースとして形成されたピーリング剤貯蔵室と、
この貯蔵室に充填された、少なくとも研磨粒子を含むピーリング剤と、
前記ピーリング剤貯蔵室から前記隔壁および研磨パッドを貫通して研磨パッドの先端部の外面に開口されたピーリング剤の供給路と、
前記筒状部材内の隔壁の基端側に、グリップ部が抜き差し自在に挿入されるように構成されている、
ことを特徴とするピーリング装置用ディスポーザブルパッド。
【発明の詳細な説明】
【０００１】
【発明の属する技術分野】
本発明は、皮膚吸収により医療用物質、化粧用物質等をデリバリする技術、ならびにこれに好適なピーリング装置に関するものである。
【０００２】
【従来の技術】
生体の皮膚表面に医療用や化粧用物質等を付与し、この物質を皮膚表面からの吸収により生体内部組織へデリバリ（搬送）する場合、その吸収を阻害する要因として、皮膚の老廃物や老化角質等の皮膚表面バリアの存在が知られている。このため、デリバリ物質の皮膚表面への付与に先立って、皮膚表面バリアをピーリング（剥離）する方法が知られている。
【０００３】
このピーリング手法としては、テープピーリング、ヒアルロン酸などによる薬剤による方法、またはサンドブラスターのごとき高速粒子を皮膚表面に吹き付けるアブレーション、ＣＯ２レーザ、エルビウムＹＡＧレーザなどによる生体表面組織を蒸散させる方法が知られている。また、化粧品の分野では、皮膚表面を整えるためや洗浄のために、数ミクロン〜数十ミクロンの無機系研磨粒子を皮膚表面に付与し、ハンドマッサージで老廃物や老化角質を除去する方法（例えば、特許文献１参照。）も知られている。
【特許文献１】
特開昭５６−１３１５１２号公報
【０００４】
【発明が解決しようとする課題】
しかしながら、上記従来のピーリング手法のうち、テープピーリングはもっとも原始的な方法であり、安価かつ容易に実施できるものの、均一かつ精密に皮膚表面バリアをピーリングできないだけでなく、痛みを伴うという欠点がある。
【０００５】
レーザを用いた皮膚表面組織の蒸散は、均一かつ精密に皮膚表面バリアをピーリングできるものの、高価な装置が必要である。
【０００６】
アブレーションは、均一かつ精密に皮膚表面バリアをピーリングできないだけでなく、高価な装置が必要となる。
【０００７】
これらと比べて、平均粒径が数ミクロン〜数十ミクロンの無機系研磨粒子を用いる方法は、痛みを伴うことなく、しかも安価且つ容易に実施できる点で好ましいが、均一かつ精密に皮膚表面バリアをピーリングできない。すなわち、皮膚表面バリアの厚さは数ミクロン〜数十ミクロン程度であるから、研磨粒子の平均粒径が数ミクロン以上であると、粒子径が大き過ぎ、皮膚表面バリアを均一かつ精密に除去することができない。そしてこの場合、皮膚表面バリアを除去しようとすると、必要以上に皮膚表面をピーリングしてしまい、健全な生体組織を傷つけたり、細菌感染のおそれが高くなったりする。また、ハンドマッサージでは皮膚表面にたいする均一加圧が困難であることもあいまって、余計に均一かつ精密なピーリングが困難である。
【０００８】
さらに、ミクロンオーダーの粒子は使用後に洗浄除去しないと、皮膚表面に残留した場合や、眼球表面、口腔内に入った場合には異物感が残る。特に粒子形状によっては、鋭利な先端が皮膚組織や粘膜に刺さり抜けなくなるおそれがあり、使用後の異物感の残存のみならず、組織の損傷、感染の助長を招くおそれもある。
【０００９】
したがって、本発明の主たる課題は、痛みを伴うことなく、安価且つ容易に実施でき、しかも均一かつ精密に皮膚表面バリアをピーリングできる技術を提供することにある。
【００１０】
【課題を解決するための手段】
上記課題を解決した本発明は次記のとおりである。
すなわち、第一の発明は、平均粒径が１０００ｎｍ未満の研磨粒子を用いて皮膚表面をピーリングする一方、皮膚表面にデリバリ物質を付与し、このデリバリ物質を、ピーリングした皮膚表面から皮膚吸収により皮膚内にデリバリすることを特徴とする皮膚吸収による物質のデリバリ方法である。
【００１１】
前述のとおり、皮膚表面バリアの厚さは数ミクロン〜数十ミクロン程度であるため、本発明従って平均粒径１０００ｎｍ未満の研磨粒子を用いることにより、段階的にバリアをピーリングすることができる。よって、均一かつ精密なピーリングが可能となり、皮膚表面バリアの除去を必要十分なレベルに抑えることができ、細菌感染等のおそれも低くなる。
【００１２】
本発明では、研磨粒子およびデリバリ物質を皮膚表面に付与した状態で、振幅１０μｍ〜１０００μｍ且つ振動数１ｋＨｚ〜１０ＭＨｚの振動を研磨粒子、デリバリ物質および皮膚表面に与えることによりピーリングを行い、ピーリングと同時にデリバリを行うようにするのは好ましい。このように、細かく且つ高速な振動を付与することにより、均一かつ精密な、しかも高速なピーリングが可能になることは当然であるが、それだけではない。すなわち、皮膚吸収は、皮膚表面の細孔を介して行われるものであり、吸収効率は主に皮膚表面の生体組織の活性化、ならびに吸収細孔への物質の到達確率により左右される。そして、上記のように高速かつ細かな振動を用いると、皮膚表面の生体組織が活性化されるとともに、デリバリ物質の細かな振動運動および振動による吸収細孔の拡縮および細かな移動によってデリバリ物質の吸収細孔への到達確率が高くなる。その結果、単に均一、精密、高速なピーリングが可能になるだけでなく、デリバリ物質の吸収も促進されるのである。なお、振幅が１０μｍを下回ると、研磨粒子やデリバリ物質を殆ど振動させることができず、ピーリング効率およびデリバリ効率が低下するため好ましくない。また、振幅が１０００μｍを超えるとピーリングが荒くなり過ぎ、精密なピーリングが困難となる。
【００１３】
本発明の研磨粒子は、デリバリ物質の種類やデリバリの目的に応じて適宜選択できるが、特に球状シリカ粒子を用いるのが好ましい。シリカ粒子を用いる利点は、生体無毒性である点、皮膚に付与したり化粧品や身体洗浄剤と混合しても変色しない透明性を有する点、肌を傷つけ難い球状のナノオーダーの粒子が比較的に容易に得られる点にある。特に球状粒子は、均一な形状により均一かつ精密なピーリングが可能となるだけでなく、皮膚等に残存しても異物感が少なく、物質のデリバリの間皮膚上に放置するのに適しており、また鋭利な先端を有しないため皮膚組織や粘膜に刺さり抜けなくなるおそれも少なく、組織の損傷、感染の助長を招くおそれも少ない。
【００１４】
また、前述のとおり、皮膚表面をピーリングするとデリバリ物質の吸収も促進されるが、望まれない細菌まで吸収され易くなるため、本発明の研磨粒子としては、抗菌性を有するものを用いるのが好ましい。
【００１５】
また、本発明の研磨粒子としては、平均粒径が１００ｎｍ未満のものを用いるのが好ましい。かかる平均粒径の研磨粒子を用いると、より均一かつ精密なピーリングが可能になる。また、かかる研磨粒子のうち、特に１０ｎｍ未満のものは、研磨後も角質の凹凸に閉じ込められ、角質の代謝剥離がおこるまで（通常数日といわれている）角質に保持される。したがって、例えば抗菌性粒子等の研磨以外の機能を有する粒子を用いる場合には、その機能が長期的に発揮される。
【００１６】
また、本発明のデリバリ物質としては、医療用物質および／または化粧用物質を用いることができる。本発明によれば、かかる物質を痛みなく、しかも安価かつ容易に皮膚内へデリバリすることができるようになる。
【００１７】
他方、本発明では、研磨粒子およびデリバリ物質とは別に、抗菌剤、除菌剤および／または殺菌剤を皮膚表面に付与することもできる。
【００１８】
次に第二の発明は、平均粒径が１０００ｎｍ未満の研磨粒子と、皮膚吸収により皮膚内にデリバリされるデリバリ物質とを、分散媒体中に含有させてなることを特徴とする、皮膚吸収による物質のデリバリに用いるピーリング剤である。この場合、研磨粒子が球状シリカ粒子であるのは好ましい。また、研磨粒子が抗菌性を有するものであるのも好ましい。また、研磨粒子は平均粒径が１００ｎｍ未満のものであるのも好ましい。また、デリバリ物質は医療用物質および／または化粧用物質を含むものであるのも好ましい。研磨粒子およびデリバリ物質とは別に、抗菌剤、除菌剤および／または殺菌剤を含むのも好ましい。なお、これらの構成の効果、利点等については第一の発明の項で述べているので、重複を避けるため敢えて説明を省略する。
【００１９】
次に第三の発明は、グリップ部と、これに取り付けられたパッド部とからなり、  パッド部は、研磨パッドと、少なくとも研磨粒子を含むピーリング剤が貯蔵される貯蔵室と、貯蔵室に貯蔵されたピーリング剤を研磨パッドに供給するための供給路とを有する、ことを特徴とするピーリング装置である。使用者は、グリップ部を把持し、研磨パッドを皮膚に擦り付けることにより、ピーリングを行うことができる。また、貯蔵室に貯蔵されたピーリング剤は供給路を介して研磨パッドに供給されるため、ピーリング剤の補給も容易である。
【００２０】
本発明のピーリング装置では、グリップ部は、弾性連結部材を介して連結されたパッド取付部を有し、このパッド取付部は振動発生手段を有し、このパッド取付部にパッド部を取り付けてなるものが好ましい。このように、グリップ部のパッド取付部とパッド部とが弾性連結部材を介して連結されていると、グリップ部を拘束してもパッド取付部およびパッド部は弾性連結部材の変形範囲内で自由に移動可能である。よって、使用者がグリップ部を把持した状態でも、パッド取付部に内蔵された振動発生手段による振動が拘束されず、グリップ部に対してパッド取付部およびパッド部が振動され、効率良いピーリングが可能となる。
【００２１】
また、本発明のピーリング装置では、研磨パッドは平坦な先端面を有し、振動発生手段は研磨パッドの先端面に対して実質的に平行な方向の振動を発生するものであるのが好ましく、特に、その振動は直線的な往復振動であっても良いが回転振動であるのが好ましい。このような回転振動形態を採用することにより、均一かつ精密なピーリングが可能となる。
【００２２】
また、本発明のピーリング装置では、ピーリング剤が平均粒径１０００ｎｍ未満の研磨粒子を含み、振動発生手段の振幅が１００μｍ〜１０００μｍであり、かつ振動数が１ｋＨｚ〜１０ＭＨｚであるのが好ましい。
【００２３】
振動発生手段としては、種々の形態が考えられ、高振動数によるピーリング効率の向上を考慮すると超音波振動子を用いるのが好ましいが、超音波振動子は振幅が小さく、振動数の割にはピーリング効率が向上しない。そのため、超音波振動子で発生した振動を研磨パッドに伝達する過程で振動を増幅する増幅手段を設けるのが望ましい。
【００２４】
また、本発明のピーリング装置では、ピーリング剤が、皮膚吸収により皮膚内にデリバリされるデリバリ物質を含むのが好ましい。
【００２５】
また、本発明のピーリング装置においては、より好ましい形態として、パッド部は、先端および基端を有し且つ長手方向中間に隔壁が設けられた筒状部材と、筒状部材内の隔壁の基端側に配置されたピストンとを有し、
研磨パッドは先端部と基端部とを有し、基端部が筒状部材内の隔壁の先端側に保持され且つ先端部が筒状部材の先端から張り出されており、
隔壁とピストンとの間の部分が貯蔵室とされており、
供給路は隔壁および研磨パッドを貫通して研磨パッドの先端部の外面に開口されており、
グリップ部は先端部と基端部とを有し、このグリップ部の先端部は筒状部材内の隔壁の基端側に挿入されており、このグリップ部の先端部によりピストンを押し込むことで貯蔵室内のピーリング剤が供給路を介して研磨パッドの先端部の外面に供給されるように構成されているものが提案される。
【００２６】
この形態では、使用者がグリップ部を把持し、パッド部を皮膚に押し付けると、グリップ部の先端部によりピストンが押し込まれ、貯蔵室内のピーリング剤が供給路を介して研磨パッドの先端部の外面に供給される。よって、使用者が必要に応じて、しかも容易にピーリング剤を研磨パッドに補給することができる。
【００２７】
さらに、本発明のピーリング装置では、パッド部は、使い捨て可能なように、グリップ部に対して着脱可能なように取り付けられるのが好ましい。
【００２８】
他方、第四の発明は、上記パッド部のみに関するものであり、先端および基端を有し且つ長手方向中間に隔壁が設けられた筒状部材と、
筒状部材内の隔壁の基端側に配置されたピストンと、
先端部と基端部とを有し、基端部が筒状部材内の隔壁の先端側に保持され且つ先端部が筒状部材の先端から張り出す研磨パッドと、
隔壁とピストンとの間のスペースとして形成されたピーリング剤貯蔵室と、
この貯蔵室に充填された、少なくとも研磨粒子を含むピーリング剤と、
ピーリング剤貯蔵室から隔壁および研磨パッドを貫通して研磨パッドの先端部の外面に開口されたピーリング剤の供給路と、
筒状部材内の隔壁の基端側に、グリップ部が抜き差し自在に挿入されるように構成されている、
ことを特徴とするピーリング装置用ディスポーザブルパッドである。
【００２９】
かかるディスポーザブルパッドを用いることによって、ピーリング剤の補給が容易になるとともに、例えばデリバリ物質を密閉滅菌できるため、またピーリング対象者別または対象部位別にパッドを使い捨てできるため、衛生的なピーリングが可能となる。
【００３０】
【発明の実施の形態】
以下、本発明の実施形態について詳説する。
（デリバリ方法およびピーリング剤について）
本発明のデリバリ方法では、平均粒径が１０００ｎｍ未満の研磨粒子を用いて皮膚表面をピーリングする一方、皮膚表面にデリバリ物質を付与し、このデリバリ物質を、ピーリングした皮膚表面から皮膚吸収により皮膚内にデリバリする。したがって、皮膚表面に研磨粒子を付与してピーリングを行った後、研磨粒子を取り除き又はそのまま放置し、次いで皮膚表面にデリバリ物質を付与することもできるが、研磨粒子及びデリバリ物質の両者を皮膚表面に付与し、ピーリングと同時にデリバリ物質の皮膚吸収が行われるようにすることもできる。
【００３１】
ピーリングに際しては、研磨粒子をハンドマッサージにより皮膚に擦り付けることもできるが、均一且つ精密なピーリングを行うためには、後述するピーリング装置を用いるのが好ましい。
【００３２】
本発明のデリバリ物質としては、皮膚吸収により皮膚内にデリバリする目的のものであれば特に限定されないが、例えば麻酔薬、ワクチン、鎮痛剤、抗炎症剤、殺菌剤、抗菌剤、除菌剤、消毒薬、育毛剤、コラーゲン、各種栄養物質（ビタミンＣ、Ｅ、Ａ等）等の医療用および／または化粧用物質を用いることができる。もちろん、本発明においては、これらの物質の一種のみを用いることもできるし、複数種を適宜選択して用いることもできる。本発明によれば、例えば従来、注射により皮膚内へデリバリしていた医薬物質や栄養物質を、痛みなく、しかも安価かつ容易に皮膚内へデリバリすることができるようになり、例えば子供へのワクチン等の投与等が極めて容易になる。
【００３３】
本発明のデリバリ方法における研磨粒子としては、デリバリ物質の種類やデリバリの目的に応じて適宜選択できるが、特にシリカ粒子を用いるのが好ましい。シリカ粒子は、硬質であるとともに、殆ど全てのデリバリ物質への影響がなく、かつ生体無毒性である。またデリバリ物質及び研磨粒子の両者を皮膚に付与した状態でピーリングする場合、デリバリが完了または飽和するまでの間は、研磨粒子を皮膚上に放置しなければならず、二酸化チタンのように有色の物質であると、ピーリング後に直ちに通常の生活に復帰し難い。さらに研磨粒子が二酸化チタンのように有色の物質であると、研磨粒子を化粧品や身体洗浄剤の形態で提供する場合、当該化粧品等を所望の色に調整することが困難となる。これに対してシリカ粒子は、無色透明のものが得られるため好ましい。さらに、シリカ粒子は、皮膚を傷つけ難い球状のナノオーダーの粒子が比較的に容易に得られるメリットもある。
【００３４】
研磨粒子の形状としては、皮膚を傷つけ難い球状のものが好ましいが、棒状等、他の形状を有していても良い。すなわち、図１２（ａ）に示すように、針状等の異形断面粒子１０１は、基本的に皮膚表面２００を均一かつ精密に研磨するのが困難であり、角質下層の生体組織を傷つけるおそれもある。のみならず、粒子の鋭利な先端が皮膚組織や粘膜に刺さり抜けなくなるおそれがあり、使用後の異物感の残存のみならず、組織の損傷、感染の助長を招くおそれもある。これに対して、図１２（ｂ）に示すように、球状粒子１０２は、皮膚表面２００を深く削るおそれがないため、皮膚表面バリアを均一かつ精密に除去するのが容易であり、生体組織皮膚組織や粘膜に刺さり抜けなくなるおそれも少ない。
【００３５】
また研磨粒子は、デリバリ物質の保持量の観点からは、図１３（ｂ）に示すように表面積の大きい多孔質粒子１０４であるのが好ましく、この場合、デリバリ物質１１０の保持量が増えるのみならず、細孔（ポア）サイズ、形状、薬物、化粧品の分子量、形状、親水、親油性、溶媒の種類等を変化させることによりデリバリ物質１１０の放出量・速度を制御でき、例えば長期にわたるデリバリ効果を達成できる等の利点がある。これに対して、図１３（ａ）に示すように、非多孔質粒子１０３の場合、表面に保持されたデリバリ物質１１０を一挙に放出するだけであるため、速効性のみを期待する場合等に適しており、また球状のものであれば表面積も十分に大きく、デリバリ物質１１０を十分な量保持できる。
【００３６】
他方、皮膚表面をピーリングするとデリバリ物質の吸収も促進されるが、細菌感染のおそれも高くなるので、銀錯体、銀を包含するシリカ、アパタイトなどのように抗菌性を有する研磨粒子を単独で、あるいはシリカ粒子と混合して用いるのが好ましい。ただし、これらの粒子は球状のものが得られ難い点や、デリバリ物質の種類によっては銀のようにデリバリ物質を酸化するおそれがある点に注意する必要がある。
【００３７】
研磨粒子のサイズは、平均粒径が少なくとも１０００ｎｍ未満である。皮膚表面バリアの厚さは数ミクロン〜数十ミクロン程度であるため、かかる研磨粒子を用いることにより、段階的にバリアをピーリングすることができる。よって、均一かつ精密なピーリングが可能となり、皮膚表面バリアの除去を必要十分なレベルに抑えることができ、細菌感染等のおそれも低くなる。この観点から、より好ましい研磨粒子のサイズは、平均粒径１００ｎｍ未満である。
【００３８】
また、かかる研磨粒子のうち、特に１０ｎｍ未満のものは、研磨後も角質の凹凸に閉じ込められ、角質の代謝剥離がおこるまで（通常数日といわれている）角質に保持される。したがって、例えば抗菌性粒子等の研磨以外の機能を有する粒子を用いる場合には、その機能が長期的に発揮される。シリカ粒子であれば、平均粒径が数ナノメータ〜数十ナノメータの範囲にあるものを製造できる。以上の観点から特に好ましい研磨粒子は、平均粒径が１ｎｍ〜１００ｎｍの球状シリカ粒子である。
【００３９】
研磨粒子およびデリバリ物質は、そのまま皮膚に付与しても良いが、好ましくは両者をともに含むまたは単独の、ジェル、クリーム、溶液、乳液、ローション、身体洗浄剤（液体・固体の石鹸、シャンプー等）等の形態にして、皮膚に付与することができる。
【００４０】
本発明のデリバリ方法では、研磨粒子に対する研磨力の付与方法は特に限定されるものではないが、研磨粒子のサイズを考慮すると、振幅１００μｍ〜１０００μｍ且つ振動数１ｋＨｚ〜１０ＭＨｚの振動を付与するのが好ましい。このように、細かく且つ高速な振動を付与することにより、均一かつ精密な、しかも高速なピーリングが可能になる。
【００４１】
特に好ましい形態では、研磨粒子およびデリバリ物質を皮膚表面に付与した状態で、振幅１００μｍ〜１０００μｍ且つ振動数１ｋＨｚ〜１０ＭＨｚの振動を研磨粒子、デリバリ物質および皮膚表面に与えることによりピーリングを行い、ピーリングと同時にデリバリを行うようにする。この場合、高速かつ細かな振動により、皮膚表面の生体組織が活性化されるとともに、デリバリ物質の細かな振動運動および振動による吸収細孔の拡縮および細かな移動によってデリバリ物質の吸収細孔への到達確率が高くなる。その結果、単に均一、精密、高速なピーリングが可能になるだけでなく、デリバリ物質の吸収も促進される。
【００４２】
他方、本発明のデリバリ方法では、抗菌性研磨粒子を用いると用いないとに関わらず、研磨粒子およびデリバリ物質とは別に、抗菌剤、除菌剤および／または殺菌剤を皮膚表面に付与することもできる。
【００４３】
（ピーリング装置について）
次に本発明のピーリング装置について説明する。本発明のピーリング装置は、上述したような物質のデリバリに好適であるが、物質のデリバリを行わずに単に角質除去等を目的としたピーリングに用いることもできるものである。
【００４４】
図１、図２及び図４は、本発明に係るピーリング装置の第一の形態１を示しており、先端部１１および基端部１２を有する円柱状のグリップ部１０と、これに取り付けられたパッド部２０とから構成されている。
【００４５】
パッド部２０は、研磨パッド２１と、少なくとも研磨粒子を含むピーリング剤が貯蔵される貯蔵室２２と、貯蔵室２２に貯蔵されたピーリング剤１００を研磨パッド２１に供給するための供給路２４とを有する限り、その配置等は種々の変形が可能である。
【００４６】
本第１の形態のパッド部２０は、図３にも示すように筒状部材２５と、ピストン２６と、研磨パッド２１とから形成されている。筒状部材２５は、先端および基端を有し且つ長手方向中間に隔壁２５ｗが設けられた円筒状部材であり、隔壁２５ｗの中心位置には先端側および基端側とに貫通する貫通孔２５ｈが形成されている。この貫通孔２５ｈは図示のように一つ設けても良いが、複数設けることもできる。また貫通孔２５ｈの形成位置は中心位置に限定されず、適宜設定でき、複数設ける場合には行列状に設けることもできる。
【００４７】
ピストン２６は、筒状部材２５内の隔壁２５ｗの基端側のスペースに挿入される円盤状部材であり、その外周面にはリング状シール部材（いわゆるＯリング）２６ｒが取り付けられ、このシール部材２６ｒが筒状部材２５の内周面に気密に接触されるように構成されている。
【００４８】
パッド部２０における筒状部材２５内のピストン２６の基端側には、グリップ先端部１１が抜き差し自在に挿入される。このため、グリップ先端部１１は円柱状をなし、かつその外周面にはリング状弾性部材（いわゆるＯリング）１１ｒが取り付けられており、この弾性部材１１ｒがパッド部２０の筒状部材２５内周面に密着することにより、グリップ先端部１１がパッド部２０に対して着脱自在に固定される。
【００４９】
一方、研磨パッド２１は、先端部と基端部とを有し、基端部が筒状部材２５内の隔壁２５ｗの先端側に挿入保持され且つ先端部が筒状部材２５の先端から張り出される。図示例の研磨パッド２１は、平坦な先端面２１ｆおよび基端面を有する円盤状をなしており、中心位置に貫通孔２１ｈが形成されている。研磨パッド２１としては、研磨剤等が保持されるとともに皮膚との密着性を有するように、変形可能な多孔質部材、例えばフェルトのような繊維集合体や樹脂等により形成されるものが好適に用いられる。研磨パッド２１は、連続気泡が少なくピーリング剤が透過しないようなものでも良いが、連続気泡の割合が高く、ピーリング剤が透過しうる程度のものが好ましい。後者の場合、図示例のような貫通孔２１ｈを省略することもできる。研磨パッド２１は、パッド部の筒状部材２５に対して接着等により着脱不能に固定するのが好ましいが、研磨パッド２１のみの交換を可能にするためには、嵌合・螺合等のような着脱可能な固定形態を採るのが好ましい。
【００５０】
パッド部２０における隔壁２５ｗとピストン２６との間のスペースはピーリング剤貯蔵室２２とされ、この貯蔵室２２に少なくとも研磨粒子を含むピーリング剤が充填される。ピーリング剤としては、少なくとも研磨粒子を含み、貯蔵室２２から研磨パッド２１に供給される形態、例えばジェル、クリーム、溶液、乳液、ローション、液体石鹸等のように液体若しくは流動体の形態を採用できる。また本装置１を、前述のように医薬物質や化粧物質を皮膚内にデリバリする目的で使用する場合には、それらデリバリ物質を別途皮膚に付与しても良いが、好適にはピーリング剤に混合して用いる。
【００５１】
以上のように構成されたピーリング装置１においては、図４に示すように、使用者はグリップ部１０を把持し、研磨パッド２１を皮膚表面２００に擦り付けることにより、皮膚表面２００と研磨パッド２１との間に存在する研磨粒子により皮膚表面２００が研磨され、老廃物や老化質等が除去される。図示形態のように研磨パッド先端面２１ｆが平坦であると、ハンドマッサージの場合と比べてより広い範囲に均一な圧力を加えることができるため、より精密なピーリングが可能となる。また、使用者は必要に応じてグリップ部１０を強く皮膚に押し付けることによって、グリップ部１０の先端部１１によりパッド部２０のピストン２６が筒状部材２５内に押し込まれ、貯蔵室２２内のピーリング剤１００が隔壁２５ｗの貫通路２５ｈおよび研磨パッド２１の貫通路２１ｈからなる供給路２４を通じて押し出され、ピーリング剤が研磨パッド先端面２１ｆに供給される。この際、研磨パッド２１がピーリング剤を透過する場合には、ピーリング剤は研磨パッド内に浸透保持され、それが研磨パッド２１の変形によって研磨パッド先端面２１ｆに補給される。よって、使用者が必要に応じて、しかも容易にピーリング剤を研磨パッド２１に補給することができる。
【００５２】
また、パッド部２０は、グリップ部１０に対して着脱自在に取り付けられているため、パッド部２０の取り外しが容易であり、パッド部２０をディスポーザブルとすることもできる。この場合、例えば前述のデリバリ方法においてワクチン投与等を行うのに非常に適している。
【００５３】
より好ましい形態では、パッド部における研磨パッド２１の露出部分全体を覆うようにキャップ２７が取り付けられる。使用者は、使用時にはキャップ２７を取り外し、非使用時にはキャップ２７を装着するようにすれば衛生的な使用が可能となる。特に前述のようにパッド部２０をディスポーザブルとする場合には、筒状部材２５の先端をキャップにより密封することにより（基端側はピストン２６により密封される）、密閉滅菌処理することができる。
【００５４】
以上に述べた第一の形態１では、使用者が手動でピーリング装置１を移動させるため、ハンドマッサージに比べれば精密な研磨ができるといっても限度があり、また効率も良くない。そこで本発明では、次述の第二及び第三の形態も提案される。
【００５５】
図５、図７及び図８は、第二の形態にかかるモータ振動タイプのピーリング装置３０を示しており、このピーリング装置３０は、先端側にパッド取付部４１を有する筒状グリップ部４０と、パッド取付部４１に取り付けられたパッド部２０とを備える。パッド部２０は第一の形態と同様である。パッド部２０における筒状部材２５のピストン２６の基端側内には、グリップ部４０のパッド取付部４１が抜き差し自在に挿入される。このため、パッド取付部４１は先端および基端を有する円筒状をなし、かつその外周面にはリング状弾性部材４１ｒが取り付けられており、このリング状弾性部材４１ｒがパッド部２０の筒状部材２５内周面に密着することにより、グリップ部４０がパッド部２０に対して着脱自在に取り付けられる。
【００５６】
グリップ部４０におけるパッド取付部４１の内空部には、電動モータ４２とその回転軸４３に取り付けられた偏心錘４４とからなる振動発生手段が固定されている。偏心錘４４は、その重心が回転軸４３の回転中心から偏心しているものである。図６に示すように、モータ４２により偏心錘４４が回転すると、偏心錘４４の重心が回転方向に移動する結果、モータ４２の回転中心と直交する平面に平行で且つモータ４２の回転中心と同軸をなす回転振動が発生する。発生した振動はパッド取付部４１を介してパッド部２０に伝達される。図示例では、モータ４２の回転中心方向とパッド取付部２０の中心軸方向とが同軸をなし、モータ４２の回転中心が研磨パッド２１の先端平坦面２１ｆと直交する配置となっているため、研磨パッド先端面２１ｆに対して実質的に平行でかつ研磨パッド先端面２１ｆと直交する軸を中心とした回転振動が発生することになる。
【００５７】
この振動発生手段の振幅Δｄは、偏心錘４４の重さ、大きさ、偏心度合いにより適宜定めることができ、また振動数はモータ４２の回転数により適宜定めることができる。振幅Δｄは、ピーリング剤に含まれる研磨粒子の大きさに応じて定めるのが望ましく、研磨粒子の平均粒径が１０００ｎｍ未満の場合で１００μｍ〜１０００μｍとするのが望ましい。振動数はピーリング効率に影響する（物質のデリバリを行う場合にはデリバリ効率にも影響する）ため、高ければ高いほうが望ましいが、電池４５により駆動されるローコストな電動モータ４２を使用する場合には、１ｋＨｚ〜１００ｋＨ程度が望ましい。
【００５８】
電動モータ４２の電力は外部の電源装置から電源ケーブルを介して供給するようにしたり、フットペダル等のスイッチにより電源のオン・オフを行うようにしたりしても良いが、図示例ではより簡素な形態とするべく、グリップ部４０の内空部に電池４５、バッテリ等の電力供給源を内蔵させるとともに、グリップ部４０の基端部は電池等交換時に開閉するためのキャップ部４６として構成し、電力供給源４５とモータ４２とを図示しない電源ケーブルにより接続（このためグリップ部４０および後述の弾性連結部材４７は筒状とされている）し、モータ４２を回転開始および停止させるためのスイッチ４６をグリップ部４０外面に設けている。
【００５９】
好ましい形態では、図示のように、パッド取付部４１がグリップ部４０に対して弾性連結部材４７を介して連結される。弾性連結部材４７としては、振動を伝え難く、かつパッド取付部４１をグリップ部４０に対して自由に振動させうるものであれば良く、例えば蛇腹状のゴム製フレキシブルチューブを好適に用いることができる。この他にも、図示するように、構成部材間に振動吸収材４８を挟み、不要な振動伝達を抑制し、ビビリ音の発生や磨耗、装置故障を防止するのが望ましい。
【００６０】
かくして構成された第二の形態のピーリング装置３０を使用する場合、図８に示すように、使用者はグリップ部４０を把持し、必要に応じてスイッチ４６をオンにして振動発生手段を駆動したり停止したりしながら、研磨パッド２１を皮膚表面２００の対象部位に押し当てる。振動発生手段により発生した振動は研磨パッド２１に伝達され、皮膚表面２００と研磨パッド２１との間に存在する研磨粒子により皮膚表面２００が研磨され、老廃物や老化質等が除去される。特に、研磨パッド２１は、その先端平坦面２１ｆに平行で且つその先端平坦面２１ｆと直交する軸を中心として回転振動されるため、単に直線的に往復振動する場合と異なり、著しく均一且つ精密な研磨が可能となり、ピーリングムラを起こし難い。また、かかる回転振動を、前述の本発明の物質のデリバリ方法に適用すると、直線的な振動と比べて、デリバリ物質の振動範囲および吸収細孔の拡縮面積および移動面積が増大するため、デリバリ物質の吸収細孔への到達確率が高くなる。
【００６１】
さらに、図示形態のようにパッド取付部４１がグリップ部４０に対して弾性連結部材４７を介して連結されていると、振動発生手段による振動が使用者の手に伝わり難くなるとともに、パッド部２０がグリップ部４０に対して自由に振動するようになり、振動の伝達ロスが防止される。またこの場合、パッド取付部４１及びパッド部２０がグリップ部４０に対してあらゆる方向に屈曲可能であるとともに、研磨パッド２１が変形可能であるため、使用者は研磨パッド２１と皮膚表面２００との密着を維持しながら、研磨パッド２１を顎や頭皮等の曲面に沿って移動させることができる。
【００６２】
第三の形態は、第二の形態よりも更にピーリング効率を向上させた（物質のデリバリを行う場合にはデリバリ効率も向上する）ものである。すなわち、図９及び図１０に示すように、第三の形態のピーリング装置５０は振動発生手段として超音波振動子６０を採用したものであり、他の構成及びその効果については前述の第二の形態と基本的に同様である。
【００６３】
超音波振動子６０としては、一軸方向にのみ往復振動する一般的なものを用いることもできるが、直交二軸方向にそれぞれ振動するタイプ（以下、直交二軸振動タイプともいう）が好適に使用できる。直交二軸振動タイプの場合、各軸方向の振動を制御することにより振動子全体として種々の振動形態を創り出すことができる。特に好ましい形態が図１１に示されている。超音波振動子６０は圧電素子の張出し変形（図中では中心から外方に向かう矢印がこれを表している）により振動を発生するものであり、この変形を直交二軸の交点を中心とした回転方向に順番に発生させる（図中では周方向の矢印がこれを表している）ことにより、実質的に直交二軸がなす平面と平行な回転振動を生み出すことができる。
【００６４】
図示例では、かかる直交二軸振動タイプの超音波振動子６０を、その直交二軸がなす平面と研磨パッド２１の先端平坦面が平行をなすようにパッド取付部４１に内蔵している。したがってこの場合、超音波振動子６０により発生した回転振動が研磨パッド２１に伝達されると、研磨パッド２１はその先端平坦面と直交する軸を中心として回転振動される。
【００６５】
他方、超音波振動子６０は、振動数をＭＨｚオーダーまで高めることができ、発生させた振動をそのまま伝えても効果はあるが、振動数がＭＨｚオーダーの超音波振動子は振幅が数１０ミクロンと小さくなるため、振動数の向上の割にはピーリング効率を向上させることができない。
【００６６】
そこで、特に好ましい形態として超音波振動子６０により発生させた振動を研磨パッド２１に伝達する過程で増幅させる手段を設けることを提案する。かかる増幅手段として、例えば図示するように、振動子６０とパッド部２１との間にそれらから独立して移動可能な増幅部材６１を介在させることができる。
【００６７】
図示形態では、パッド取付部４１の先端部に超音波振動子６０が配置され、超音波振動子６０の張出周面を取り囲むように筒状の増幅部材６１が配置され、超音波振動子６０の先端側に取り付けられた張出部４９が増幅部材６１の先端側に張出されており、この張出部４９の外周面にリング状弾性部材４９ｒが取り付けられている。パッド取付部４１は、パッド部２０におけるピストン２６の基端側に挿入され、張出部４９のリング状弾性部材４９ｒが筒状部材２５内周面に密着することによりパッド部２０に対して着脱自在に固定されるとともに、その基端側において、超音波振動子６０の外周面とパッド部２０の筒状部材２５の内周面とが増幅部材６１を介して対面されており、これらは連結または固定されていない。そして、超音波振動子６０の外周面と増幅部材６１の内周面との間には、超音波振動子６０の振幅Δｄ以内の僅かな間隙（遊び）が形成される。したがって、超音波振動子６０は振動により増幅部材６１の内周面に衝突し、その衝撃により増幅部材６１は振動子６０よりも大なる振幅をもってパッド部２０の筒状部材内周面に衝突することにより、振動が増幅されてパッド部２０に伝達され、パッド部２０はこの増幅された振幅で振動されるようになる。
【００６８】
超音波振動子６０の振幅は、ピーリング剤に含まれる研磨粒子の大きさ及び振動数に応じて定めるのが望ましく、研磨粒子の平均粒径が１０００ｎｍ未満且つ１ｋＨｚ〜５ＭＨ程度の場合で１０μｍ〜５０μｍとするのが望ましい。この振幅は前述の増幅手段により増幅するのが好ましく、その場合、研磨パッド２１の振幅が１００μｍ〜５００μｍとなるように構成するのが好ましい。
【００６９】
かくして構成された本第三の形態のピーリング装置では、振動数をＭＨｚオーダーとすることができ、第二の形態よりも著しく高効率でのピーリングが可能になる。また、前述の本発明の物質のデリバリ方法に用いれば、ピーリング効率の著しい向上によって、また高速かつ微細な振動に起因する皮膚表面の生体組織の活性化、デリバリ物質の高速かつ微細な振動および吸収細孔の高速かつ微細な拡縮および細かな移動によって、デリバリ物質の吸収細孔への到達確率が高くなり、デリバリ物質の吸収が著しく促進される。
【００７０】
また、直交二軸タイプの超音波振動子６０を用いて各軸方向の振動を制御することによって、精密な研磨を可能とする回転振動を、より高速且つより微細に発生させることができ、著しいピーリング効率の向上を図ることができる。また、かかる回転振動を、前述の本発明の物質のデリバリ方法に用いると、更に著しい、デリバリ効率の向上が達成可能となる。
【００７１】
【実施例】
５ｎｍ〜５０μｍの範囲の粒径を有するシリカ粒子と麻酔薬とを混合し、クリーム状のピーリング剤を調整し、このピーリング剤を前述した第三の形態のピーリング装置（超音波振動タイプ）にセットし、被験者の皮膚を５分間ピーリングした。その後、ピーリング部位に針を刺し、痛みが無くなるまでの時間を測定した。
【００７２】
また、共通のピーリング剤を用い、ハンドマッサージにより５分間ピーリングする場合、ならびにマッサージ等の研磨力を全く与えずにピーリング剤を単に皮膚に塗布しただけの場合について、試験を行った。
【００７３】
その結果、超音波振動タイプのピーリング装置を用いた場合は、ピーリング後僅か５分経過しただけで、麻酔の効果が現れ始め、約１０分後には完全に麻酔が効いた。これに対して、ハンドマッサージの場合には、約２０分後に麻酔が完全に効いた。また、単にピーリング剤を付与しただけの場合には、約３０分経過後に麻酔が効き始めた。
【００７４】
【発明の効果】
以上のとおり、本発明によれば、痛みを伴うことなく、安価且つ容易に実施でき、しかも均一かつ精密に皮膚表面バリアをピーリングできるようになる等、種々の利点がもたらされる。
【図面の簡単な説明】
【図１】ピーリング装置の第１の形態を示す縦断面図である。
【図２】ピーリング装置の第１の形態を示す斜視図である。
【図３】パッド部の要部破断分解図である。
【図４】使用状態説明図である。
【図５】ピーリング装置の第２の形態を示す縦断面図である。
【図６】振動発生原理を示す平面図である。
【図７】要部拡大図である。
【図８】使用状態説明図である。
【図９】ピーリング装置の第２の形態を示す縦断面図である。
【図１０】ピーリング装置の第２の形態を示す要部破断斜視図である。
【図１１】振動発生原理を示す平面図である。
【図１２】粒子形状の相違による研磨効果の相違を説明するための概略図である。
【図１３】多孔質粒子によるデリバリ効果を説明するための概略図である。
【符号の説明】
１，３０，５０…ピーリング装置、１０，４０…グリップ部、２０…パッド部、４１…パッド取付部、４７…弾性連結部材、２１…研磨パッド、２２…貯蔵室、２４…供給路、１００…ピーリング剤。
【図１】
2004277325.tif 000003
【図２】
2004277325.tif 000004
【図３】
2004277325.tif 000005
【図４】
2004277325.tif 000006
【図５】
2004277325.tif 000007
【図６】
2004277325.tif 000008
【図７】
2004277325.tif 000009
【図８】
2004277325.tif 000010
【図９】
2004277325.tif 000011
【図１０】
2004277325.tif 000012
【図１１】
2004277325.tif 000013
【図１２】
2004277325.tif 000014
【図１３】
2004277325.tif 000015